(57)【要約】【課題】本発明は、その設置場所や使用状態に応じて、適切な省電力化を実現することが可能な自動販売機を提供することを目的とする。【解決手段】本発明に係る自動販売機１００は、自動販売機１００の機能を実現する複数の機能部（照明部２、操作部３、温度調節部４、金銭識別部５、商品搬送部６など）と；自動販売機１００の動作を設定するための設定信号を出力するインタフェイス部（メンテナンス操作部８）と；前記インタフェイス部から入力される前記設定信号に基づいて設定されたスリープ条件に従い、前記複数の機能部のスリープ移行／復帰制御を個別に行うためのスリープ制御信号を前記複数の機能部に出力するスリープ制御部１ａと；を有する。【選択図】図１
2010061286.tif 000002
【特許請求の範囲】
【請求項１】
自動販売機の機能を実現する複数の機能部と；
前記自動販売機の動作を設定するための設定信号を出力するインタフェイス部と；
前記インタフェイス部から入力される前記設定信号に基づいて設定されたスリープ条件に従い、前記複数の機能部のスリープ移行／復帰制御を個別に行うためのスリープ制御信号を前記複数の機能部に出力するスリープ制御部と；
を有して成ることを特徴とする自動販売機。
【請求項２】
現在日時を計時するリアルタイムクロックを有して成り、
前記スリープ制御部は、前記リアルタイムクロックの出力に基づいて、前記スリープ条件の判定を行うことを特徴とする請求項１に記載の自動販売機。
【請求項３】
前記複数の機能部の一つであって、商品の陳列ケースなどを照明する照明部と；
前記インタフェイス部から入力される前記設定信号に基づいて設定された照明条件に従い、前記照明部のオン／オフ制御や輝度制御を行うための照明制御信号を前記照明部に出力する照明制御部と；
を有して成ることを特徴とする請求項１または請求項２に記載の自動販売機。
【請求項４】
周囲の照度を検出する照度センサを有して成り、
前記照明制御部は、前記照度センサの出力に基づいて、前記照明条件の判定を行うことを特徴とする請求項３に記載の自動販売機。
【請求項５】
周囲に人体が存在するか否かを検出する人体センサを有して成り、
前記照明制御部は、前記人体センサの出力に基づいて、前記照明条件の判定を行うことを特徴とする請求項３または請求項４に記載の自動販売機。
【請求項６】
前記複数の機能部の一つであって、商品の温度を所定の設定温度に維持する温度調節部と；
前記インタフェイス部から入力される前記設定信号に基づいて設定された温度調節条件に従い、前記設定温度の可変制御を行うための設定温度制御信号を前記温度調節部に出力する設定温度制御部と；
を有して成ることを特徴とする請求項１〜請求項５のいずれかに記載の自動販売機。
【請求項７】
周囲の気温を検出する気温センサを有して成り、
前記設定温度制御部は、前記気温センサの出力に基づいて、前記温度調節条件の判定を行うことを特徴とする請求項６に記載の自動販売機。
【発明の詳細な説明】
【技術分野】
【０００１】
本発明は、自動販売機に関するものである。
【背景技術】
【０００２】
近年、環境問題に対する意識の高まりから、家電製品や電子機器のみならず、自動販売機についても、その省電力化が求められている。
【０００３】
なお、上記に関連する従来技術の一例として、特許文献１には、全販売商品の売切時または故障時に蛍光灯を消灯することを特徴とする自動販売機の蛍光灯制御装置が開示・提案されている。
【特許文献１】特開平５−４０８７４号公報
【発明の開示】
【発明が解決しようとする課題】
【０００４】
確かに、上記従来の自動販売機であれば、全販売商品の売切時や故障時において、蛍光灯が自動的に消灯されるので、電力の浪費を抑えることが可能となる。
【０００５】
しかしながら、電力の消費という視点で見た場合に、上記従来の自動販売機は、あくまで、蛍光灯の点灯／消灯制御のみを自動化したものであり、自動販売機に搭載されたその他の諸機能（商品の保温機能や商品選択ボタンの押下監視機能、硬貨や紙幣の投入監視機能など）は、蛍光灯の消灯時であっても、全て稼働状態に維持されていたため、自動販売機の設置場所や使用状態によっては無駄な電力が浪費されていた。例えば、夜間のオフィスビルのように、明らかに購買者がいない時間帯であっても、上記機能が稼働状態にあるため、不必要な電力が消費されていた。
【０００６】
本発明は、上記の問題点に鑑み、その設置場所や使用状態に応じて、適切な省電力化を実現することが可能な自動販売機を提供することを目的とする。
【課題を解決するための手段】
【０００７】
上記目的を達成するために、本発明に係る自動販売機は、自動販売機の機能を実現する複数の機能部と；前記自動販売機の動作を設定するための設定信号を出力するインタフェイス部と；前記インタフェイス部から入力される前記設定信号に基づいて設定されたスリープ条件に従い、前記複数の機能部のスリープ移行／復帰制御を個別に行うためのスリープ制御信号を前記複数の機能部に出力するスリープ制御部と；を有して成る構成（第１の構成）とされている。
【０００８】
なお、上記第１の構成から成る自動販売機は、現在日時を計時するリアルタイムクロックを有して成り、前記スリープ制御部は、前記リアルタイムクロックの出力に基づいて、前記スリープ条件の判定を行う構成（第２の構成）にするとよい。
【０００９】
また、上記第１または第２の構成から成る自動販売機は、前記複数の機能部の一つであって、商品の陳列ケースなどを照明する照明部と；前記インタフェイス部から入力される前記設定信号に基づいて設定された照明条件に従い、前記照明部のオン／オフ制御や輝度制御を行うための照明制御信号を前記照明部に出力する照明制御部と；を有して成る構成（第３の構成）にするとよい。
【００１０】
また、上記第３の構成から成る自動販売機は、周囲の照度を検出する照度センサを有して成り、前記照明制御部は、前記照度センサの出力に基づいて、前記照明条件の判定を行う構成（第４の構成）にするとよい。
【００１１】
また、上記第３または第４の構成から成る自動販売機は、周囲に人体が存在するか否かを検出する人体センサを有して成り、前記照明制御部は、前記人体センサの出力に基づいて、前記照明条件の判定を行う構成（第５の構成）にするとよい。
【００１２】
また、上記第１〜第５いずれかの構成から成る自動販売機は、前記複数の機能部の一つであって、商品の温度を所定の設定温度に維持する温度調節部と；前記インタフェイス部から入力される前記設定信号に基づいて設定された温度調節条件に従い、前記設定温度の可変制御を行うための設定温度制御信号を前記温度調節部に出力する設定温度制御部と；を有して成る構成（第６の構成）にするとよい。
【００１３】
また、上記第６の構成から成る自動販売機は、周囲の気温を検出する気温センサを有して成り、前記設定温度制御部は、前記気温センサの出力に基づいて、前記温度調節条件の判定を行う構成（第７の構成）にするとよい。
【発明の効果】
【００１４】
本発明に係る自動販売機であれば、その設置場所や使用状態に応じて、適切な省電力化を実現することが可能となる。
【発明を実施するための最良の形態】
【００１５】
図１は、本発明に係る自動販売機の一実施形態を示すブロック図である。図１に示すように、本実施形態の自動販売機１００は、これを構成する要素ブロックの一例として、メインコントローラ１と、照明部２と、操作部３と、温度調節部４と、金銭識別部５と、商品搬送部６と、各種センサ７と、メンテナンス操作部８と、不揮発性メモリ９と、リアルタイムクロック１０（以下、ＲＴＣ１０と呼ぶ）と、を有して成る。
【００１６】
メインコントローラ１は、自動販売機１００の諸動作を統括的に制御する手段であり、特に、本発明に関連する機能として、スリープ制御部１ａ、照明制御部１ｂ、及び、設定温度制御部１ｃとしての機能を具備している。スリープ制御部１ａは、メンテナンス操作部８から入力される設定信号（本実施形態の例では、不揮発性メモリ９に格納される設定データに相当、以下同様）に基づいて設定されたスリープ条件に従い、自動販売機１００を構成する複数の機能部について、各々のスリープ移行／復帰制御を個別に行うためのスリープ制御信号を上記複数の機能部に出力する手段である。照明制御部１ｂは、メンテナンス操作部８から入力される設定信号に基づいて設定された照明条件に従い、照明部２のオン／オフ制御や輝度制御を行うための照明制御信号を照明部２に出力する手段である。設定温度制御部１ｃは、メンテナンス操作部８から入力される設定信号に基づいて設定された温度調節条件に従い、温度調節部４のオン／オフ制御や設定温度の可変制御を行うための設定温度制御信号を温度調節部４に出力する手段である。
【００１７】
なお、メインコントローラ１としては、ＣＰＵ［Central Processing Unit］やＤＳＰ［Digital Signal Processor］などの演算処理装置を用いればよく、上記のスリープ制御部１ａ、照明制御部１ｂ、及び、設定温度制御部１ｃについては、ハードウェア／ソフトウェアのいずれで実現してもよい。
【００１８】
照明部２は、商品の陳列ケースなどを照明する手段であり、蛍光灯や発光ダイオードなどを用いることができる。
【００１９】
操作部３は、購買者の操作を受け付ける手段であり、商品選択ボタンや投入金銭の返却レバーなどを備えて成る。
【００２０】
温度調節部４は、自動販売機１００の内部に備蓄されている商品の温度を所定の設定温度に維持する手段であり、コールド用商品を冷却するクーラや、ホット用商品を加熱するヒータ、及び、商品の温度を検出するサーモスタットなどを備えて成る。
【００２１】
金銭識別部５は、購買者によって投入された金銭（硬貨や紙幣）を監視し、その真偽並びに投入額を識別する手段である。なお、金銭識別部５として、電子マネー機能を搭載したＩＣカードや携帯電話端末との間で、決済情報のやり取りが可能なリーダ／ライタを設けてもよい。
【００２２】
商品搬送部６は、購買者によって選択された商品を庫内から商品取出口まで搬送する手段であり、モータやローラ、及び、これらの駆動制御ＩＣなどを備えて成る。
【００２３】
各種センサ７は、自動販売機１００の周囲環境に関する情報を取得する手段であり、図１の例では、周囲の照度を検出する照度センサ７ａと、周囲に人体が存在するか否かを検出する人体センサ７ｂと、周囲の気温を検出する気温センサ７ｃと、を備えて成る。
【００２４】
メンテナンス操作部８は、自動販売機１００の所有者やメンテナンス作業者の操作に基づいて、自動販売機１００の動作を設定するための設定信号を出力するインタフェイス部であり、表示部や操作キーを備えて成る。ただし、所定のメンテナンス操作端末（携帯型パーソナルコンピュータなど）を用いて上記の設定を行う場合には、必ずしも自動販売機１００に表示部や操作キーを備えておく必要はなく、メンテナンス操作部８に代えて、自動販売機１００とメンテナンス操作端末とを接続するためのコネクタを備えておけば足りる。また、ネットワークを介して上記の設定を遠隔的に行う場合には、メンテナンス操作部８に代えて、自動販売機１００と前記ネットワークとを接続するための有線通信ポートや無線通信ポートを備えておけば足りる。また、自動販売機１００の動作を設定するための設定データを予め作成しておき、所定のメディア（着脱可能なフラッシュメモリなど）を用いてその設定データを自動販売機１００に転送する場合には、メンテナンス操作部８に代えて、前記メディアに対応したリーダ／ライタを備えておけば足りる。
【００２５】
不揮発性メモリ９は、メンテナンス操作部８から入力される設定信号を設定データ（後述するスリープ条件、照明条件、温度調節条件などを含む）として不揮発的に格納し、メインコントローラ１からの読み出し要求に応じてこれを出力する手段であり、フラッシュメモリやＥＥＰＲＯＭ［Electrically Erasable and Programmable Read Only Memory］などを用いることができる。このように、メンテナンス操作部８を用いて設定された設定データの格納手段として不揮発性メモリ９を用いる構成であれば、停電などによって自動販売機１００への電力供給が遮断されても設定データが滅失しないので、自動販売機１００の動作を再設定する必要がなく、自動販売機１００のメンテナンスフリー化に寄与することが可能となる。
【００２６】
ＲＴＣ１０は、専用電源（ボタン電池など）からの電力供給を受けて、現在日時（年・月・日・時・分・秒）を常に計時する手段である。
【００２７】
次に、本発明に関連するメインコントローラ１の諸動作（特に、スリープ制御部１ａ、照明制御部１ｂ、及び、設定温度制御部１ｃとしての諸動作）に関して、図２を参照しながら詳細に説明する。
【００２８】
図２は、自動販売機１００の動作を設定するための設定データの一例を示す模式図であり、紙面左側から順に、照明部２、操作部３、温度調節部４と、金銭識別部５、商品搬送部６、並びに、各種センサ７（照度センサ７ａ、人体センサ７ｂ、気温センサ７ｃ）の動作状態（スリープ状態／スタンバイ状態）が示され、また、紙面縦方向には、一日の時間経過（０時〜２４時）が示されている。
【００２９】
なお、下記の説明中において、「スリープ状態」とは、各機能部に電源が供給されておらず、その動作が不可能な状態を指すものとし、また、「スタンバイ状態」とは、各機能部に電源が供給されており、その動作が可能な状態を指すものとする。
【００３０】
また、図２では、メンテナンス操作部８、不揮発性メモリ９、並びに、ＲＴＣ１０の動作状態がいずれも示されていないが、メンテナンス操作部８や不揮発性メモリ９については、現在日時や周囲環境などに依ることなく、メンテナンス操作やメモリアクセスの待ち受けを行うべく、常にスタンバイ状態に維持されているものとし、また、ＲＴＣ１０については、常に現在日時を計時し続けているものとする。
【００３１】
以下では、自動販売機１００が設置されているビルの開館時間帯が６時〜２１時であると仮定して説明を行う。
【００３２】
スリープ制御部１ａは、ＲＴＣ１０の出力（現在日時）に基づいて、メンテナンス操作部８で設定されたスリープ条件（現在日時が所定の条件を満たしているか否か）の判定を行い、自動販売機１００を構成する複数の機能部について、各々のスリープ移行／復帰制御を個別に行う。図２を参照しながら一日の流れを具体的に述べると、スリープ制御部１ａは、まず、ビルの開館時刻の２時間前（すなわち４時）に、温度調節部４と気温センサ７ｃを他の機能部に先行してスリープ状態からスタンバイ状態に復帰させ、その後、ビルの開館時刻（すなわち６時）に、照明部２、操作部３、金銭識別部５、商品搬送部６、照度センサ７ａ、及び、人体センサ７ｂをスリープ状態からスタンバイ状態に復帰させる。
【００３３】
このような動作シーケンスを採用することにより、温度調節部４がスリープ状態とされている間に、商品の温度がその設定温度から乖離してしまった場合でも、自動販売機１００で商品の購買が可能となる時刻（すなわち６時）までには、商品の温度を所定の設定温度に冷却または加熱し直すことができるので、ビルの開館直後に商品を購入した購買者に対して商品の温度に関する不満を抱かせずに済む。
【００３４】
なお、図２の例では、ビルの開館時刻の２時間前から商品の温度調節を再開する構成を例に挙げて説明を行ったが、温度調節の再開時刻はこれに限らず任意に設定すればよい。また、温度調節の再開時刻は、一年を通して一律に設定してもよいし、季節を反映して変動的に設定してもよい。具体例を挙げると、夏期（例えば６月〜８月）は気温が高く、コールド用商品の温度をその設定温度まで冷却するために長時間を要することが想定され、逆に、冬期（例えば１２月〜２月）は気温が低く、ホット用商品の温度をその設定温度まで加熱するために長時間を要することが想定される。そこで、これらの季節には、温度調節の再開時刻を春期（例えば３月〜５月）や秋期（例えば９月〜１１月）よりも早めるように、温度調節部４のスリープ条件を設定しておくことが考えられる。
【００３５】
また、上記した温度調節の再開に際し、設定温度制御部１ｃは、気温センサ７ｃの出力（周囲の気温）に基づいて、メンテナンス操作部８で設定された温度調節条件（周囲の気温が所定の条件を満たしているか否か）の判定を行い、商品の設定温度を可変制御する。具体例を挙げると、設定温度制御部１ｃは、周囲の気温が高いほど、コールド用商品の設定温度を低めに設定し、逆に、周囲の気温が低いほど、ホット用商品の設定温度を高めに設定する。このような設定を行うことにより、暑い季節にはより冷たい商品を提供することが可能となり、逆に、寒い季節にはより温かい商品を提供することが可能となるので、商品を購入した購買者の満足度を高めることができる。
【００３６】
なお、本実施形態の自動販売機１００において、設定温度制御部１ｃは、温度調節部４がスリープ状態からスタンバイ状態に復帰されたときに、気温センサ７ｃの出力に基づいて商品の設定温度を可変制御し、以後、その設定温度を維持する構成とされている。従って、気温センサ７ｃは、上記設定温度の可変制御時にのみ動作させればよく、周囲の気温を検出し終えた後は、遅滞なくスタンバイ状態からスリープ状態に移行させるように、気温センサ７ｃのスリープ条件を設定しておくことが望ましい。このような設定を行うことにより、気温センサ７ｃにおける電力の浪費を抑えることが可能となる。なお、図２の例では、４時〜５時までの間、１時間に亘って気温センサ７ｃがスタンバイ状態に維持されている様子が描写されているが、実際には、より短い時間（周囲の温度を検出するために必要十分な時間）だけ気温センサ７ｃをスタンバイ状態に維持すれば足りる。もちろん、時々刻々と変化する周囲の気温に応じて商品の設定温度を逐次可変制御する必要がある場合には、気温センサ７ｃで周囲の気温を一度検出し終えた後も、そのスタンバイ状態を維持するように、気温センサ７ｃのスリープ条件を設定すればよい。
【００３７】
また、照明部２のスリープ状態が解除された後、照明制御部１ｂは、照度センサ７ａ及び人体センサ７ｂの出力（周囲の照度及び人体（購買者）の有無）に基づいて、メンテナンス操作部８で設定された照明条件（周囲の照度が所定の条件を満たしているか否か、また、周囲に人体（購買者）が存在するか否か）の判定を行い、照明部２のオン／オフ制御や輝度制御を行う。
【００３８】
図２の例に即して説明すると、照明制御部１ｂは、ビルの開館時間帯であって、かつ、来訪者が比較的少ないと考えられる時間帯（６時〜９時、及び、１８時〜２１時）には、自動販売機１００の周囲が暗く、かつ、自動販売機１００の周囲に人体（購買者）が存在すると判定したときにのみ、照明部２をオンとし、その余の場合には、照明部２をオフとするか、或いは、照明部２の輝度を低下させる。すなわち、上記の時間帯においては、自動販売機１００の周囲が暗くても、自動販売機１００の周囲に人体（購買者）が存在しなければ、照明部２がオンとされることはない。このような設定を行うことにより、照明部２における電力の浪費を抑えることが可能となる。
【００３９】
また、照明制御部１ｂは、ビルの開館時間帯であって、かつ、来訪者が比較的多いと考えられる時間帯（９時〜１８時）には、自動販売機１００の周囲に人体（購買者）が存在するか否かに依ることなく、自動販売機１００の周囲が暗いと判定した時点で、照明部２をオンとし、その余の場合には、照明部２をオフとするか、或いは、照明部２の輝度を低下させる。すなわち、上記の時間帯においては、自動販売機１００の周囲が暗ければ、自動販売機１００の周囲に人体（購買者）が存在しなくても、照明部２が自動的にオンとされる。このような設定を行うことにより、自動販売機１００から離れた位置に存在する購買者に対しても、自動販売機１００の存在をアピールすることが可能となる。
【００４０】
なお、上記いずれの時間帯においても、自動販売機１００の周囲が明るければ、自動販売機１００の周囲に人体（購買者）が存在するか否かに依ることなく、照明部２が自動的にオフとされる。従って、例えば、自動販売機１００の設置場所に別途の屋内灯が設けられており、その周囲が十分に明るい場合には、たとえ夜間であっても照明部２がオンされることはないので、照明部２における電力の浪費を抑えることが可能となる。
【００４１】
また、上記動作例の場合、人体センサ７ｂは、ビルの開館時間帯であって、かつ、来訪者が比較的少ないと考えられる時間帯（６時〜９時、及び、１８時〜２１時）にのみ動作させればよく、その余の時間帯には、ビルの開館時間帯であってもスタンバイ状態からスリープ状態に移行させるように、人体センサ７ｂのスリープ条件を設定しておくことが望ましい。このような設定を行うことにより、人体センサ７ｂにおける電力の浪費を抑えることが可能となる。
【００４２】
また、上記動作例の場合、照度センサ７ａは、ビルの開館時間帯において常に動作されているが、自動販売機１００のさらなる低消費電力化を図るのであれば、例えば、自動販売機１００の周囲が十分に明るいと想定される時間帯（例えば９時〜１５時）において、人体センサ７ｂのみならず、照度センサ７ａについてもスタンバイ状態からスリープ状態に移行させるように、照度センサ７ａのスリープ条件を設定するとともに、照明部２については、同時間帯において常時オフとしておくように、照明部２のスリープ条件を設定することも任意である。
【００４３】
一方、操作部３、温度調節部４、金銭識別部５、及び、商品搬送部６は、ビルの開館時間帯において常にスタンバイ状態に維持されている。このような設定を行うことにより、万一、照度センサ７ａや人体センサ７ｂに不具合が生じた場合であっても、購買操作の受付や投入金銭の監視及び識別、並びに、選択商品の搬送など、商品の自動販売サービスに関する重要動作（基本動作）については、これを滞りなく実行することができるので、購買者に予期せぬ不利益を与えるおそれが少なくなる。
【００４４】
その後、スリープ制御部１ａは、ビルの閉館時刻（すなわち２１時）に合わせて、自身を除く全ての機能部をスタンバイ状態からスリープ状態に移行させ、ビルの開館時刻（すなわち明朝６時）が到来するまでこれを維持する。このような設定を行うことにより、ビルが無人となる閉館時間帯には、スリープ状態からの復帰処理を司るスリープ制御部１ａを除き、自動販売機１００の全機能を停止させることができるので、その消費電力を大幅に削減することが可能となる。従って、国内や国外で幅広く普及している自動販売機の全てについて、本発明を適用することができれば、トータルとして莫大な省電力化を実現することが可能となり、延いては、二酸化炭素排出量の削減など、全世界的な環境問題の解決に大きく寄与することが可能となる。
【００４５】
なお、上記動作例の場合、ビルの閉館時刻以降は、照明部２がスリープ状態とされているが、防犯上の理由から、照明部２をあえてスタンバイ状態（常時点灯状態）に維持しておくように、照明部２のスリープ条件を設定しておくことも任意である。ただし、このような防犯設定を行った場合には、一見すると自動販売機１００が動作中であるように見えるので、販売停止中である旨の表示や金銭投入口の閉鎖など、購買者による金銭の誤投入を防止するための措置を講じておくことが望ましい。
【００４６】
また、上記では、図２に示されるルーチン動作が毎日繰り返されるという前提で説明を行ったが、自動販売機１００の動作設定については、これに限定されるものではなく、例えば、平日における動作パターン（例えば図２に示したルーチン動作）と、週末や祝祭日における動作パターン（例えば終日スリープ）を個別に設定しておくことも可能である。
【００４７】
また、本発明の構成は、上記実施形態のほか、発明の主旨を逸脱しない範囲で種々の変更を加えることが可能である。
【産業上の利用可能性】
【００４８】
本発明は、自動販売機の省電力化を実現する上で有用な技術である。
【図面の簡単な説明】
【００４９】
【図１】は、本発明に係る自動販売機の一実施形態を示すブロック図である。
【図２】は、自動販売機１００の動作を設定するための設定データの一例を示す模式図である。
【符号の説明】
【００５０】
１００    自動販売機
１    メインコントローラ（ＣＰＵなど）
１ａ    スリープ制御部
１ｂ    照明制御部
１ｃ    設定温度制御部
２    照明部
３    操作部
４    温度調節部
５    金銭識別部
６    商品搬送部
７    各種センサ
７ａ    照度センサ
７ｂ    人体センサ
７ｃ    気温センサ
８    メンテナンス操作部（インタフェイス部）
９    不揮発性メモリ
１０    リアルタイムクロック（ＲＴＣ）
【図１】
2010061286.tif 000003
【図２】
2010061286.tif 000004